(57)【要約】      （修正有）【課題】屋上やベランダのシートによる防水施工に於いて、平場の防水シートと壁側の立ち上がりから貼り下げた防水シートとの重ね合った接合幅を超える余分なシートを切断するための片手で使用される幅切りの定規を提供する。【解決手段】本考案の定規１の長手方向の一辺を壁側の立ち上がりコーナーに沿わして、一方の手の指を突起部材２や貫通穴３に指を引掛けて手のひらを密着させ、カッターナイフを定規１の長手方向の対向の一辺に沿わしながら握りしめているので、カッティング操作の際、定規がぶれる事無く正確な作業が出来る。そして定規１を移動する際は、定規１の裏面に貼着している滑り性の良いフッ素樹脂等の樹脂材が防水シート上を抵抗なく滑らかに移動し、接合幅を残してカッティングされる。【選択図】図１
0003211605.tif 000002
【実用新案登録請求の範囲】
【請求項１】
平板状の定規本体の上面の適宜な位置に着脱自在な突起部材を貼着し、裏面にフッ素樹脂等の摩擦係数の少ない樹脂材を貼着したことを特徴とする幅切りの定規。
【請求項２】
上記定規本体の適宜な位置に貫通穴を設けたことを特徴とする請求項１記載の幅切りの定規。
【考案の詳細な説明】
【技術分野】
【０００１】  本考案は、屋上やベランダのシートによる防水施工に於いて、平場の防水シートと壁側の立ち上がりから貼り下げた防水シートとの重ね合った接合幅を超える余分なシートを切断するために使用される幅切りの定規に関するものである。
【背景技術】
【０００２】  従来の技術としては屋上やベランダのシートによる防水施工に於いては，平場に防水シートを貼り付けて壁側の立ち上がりから貼り下げた防水シートを被せて重ね合った接合幅（約５０ｍｍ）を超える余分なシートを切るために、重ね合った防水シートの間に金属製の下敷きを差し込んで平場の防水シートを傷つけない様にして、一方の手で定規の上面を押えて、他方の手に持ったカッターナイフの刃先を定規の一辺に沿わして、カッターナイフを移動しながら防水シートを切断するもので、一工程が終わる度に定規を移動しなければならなかった。また、定規は施工現場に合わせて、長尺から短い定規を用意して対応しなければならなかった。
【先行技術文献】
【０００３】
【特許文献】
【特許文献】実開平６−６７０９２号  公報
【考案の概要】
【考案が解決しようとする課題】
【０００４】  従来、カッティング操作は一方の手で定規の上面を押えて、他方の手にカッターを持ちナイフの刃先を定規の一辺に沿わして、カッターナイフを移動しながら防水シートを切断するものであるから、定規を押えている一方の手にカッターナイフが乗り上げ、押えている指を負傷させることが多々あり、この危険を回避させる為にゆったりとした作業にならざるを得ない。また一工程が終わる度に定規を移動しなければならず作業効率が悪くなるという問題がある。そして片手で定規を押えての作業なので、特に長尺の定規はぶれたりして安定性に欠けるので連続した正確な作業が期待できない。また施工現場に合わせて、長尺から短い定規を複数本、用意して対応するため作業効率が悪い。さらに両手でカッティング操作をしているので、カッティング後に、残材のシートを集め回らないといけない。上記の問題を解決する為に定規本体とカッターナイフを片手でカッティング操作出来て、他方の手でカッティング後に出る残材のシートを取り除く作業が出来るようにするために定規本体の裏面に摩擦係数の少ない樹脂材を貼着し、上面に指を引掛ける突起部材や貫通穴を設けて前述の欠点を解決しようとするものである。
【課題を解決するための手段】
【０００５】  上記問題を達成するために、ステンレス鋼板などの弾性体よりなる平板状の定規本体の上面の適宜な位置に指を引掛ける突起部材を着脱自在に貼着し、又は本体の適宜な位置に指を引掛ける貫通穴を設け、裏面に摩擦係数の少ないフッ素樹脂材等を貼着たことにより問題を解決している。
【考案の効果】
【０００６】  上記のように本考案は、施工者の手が一番馴染み易い位置に、平板状の定規本体の上面適宜な位置に指を引掛ける突起部材を着脱自在に貼着したり、又は本体の適宜な位置に指を引掛ける貫通穴を設ける事が出来るようになっているので、定規の突起部材や貫通穴に指を引掛けて手のひらを密着させて、カッターナイフを定規の一辺に沿わして握りしめる事が出来るので、カッティング操作の際、定規がぶれる事無く正確な作業が出来る。【０００７】  また、本考案の定規は、片手で定規とカッターナイフを一体にしながら、定規が防水シート上を移動してカッティング操作するもので、従来のカッターナイフを移動しながら防水シートを切断して一工程が終わる度に定規を移動しなければならない施工に比べ、はるかに作業時間が短縮できる。【０００８】  そして、裏面に摩擦係数の少ないフッ素樹脂材を貼着たことにより、定規を少し押し出すだけで防水シートの表面を抵抗なく移動することが出来るので、施工者の腕にかかる負担も少ない。また、フッ素樹脂材は耐熱性にも優れているので、屋外の気温の高くて防水シートが熱している状態でも、滑り性の影響はない。【０００９】  さらに、定規とカッターナイフを片手でカッティング操作しているので、定規を押えている一方の手にカッターナイフが乗り上げ、押えている指を負傷させる事はない。【００１０】  また、本考案の定規は約２００ｍｍの長さになっているので、広い箇所から狭い箇所の施工現場を作業できるので、従来の様に施工現場に合わせて長尺から短い定規を複数本、用意をしなくともよい。
【図面の簡単な説明】
【００１１】
【図１】  本考案の幅切りの定規の正面図である。
【図２】  本考案の一部切欠拡大断面図である。
【考案を実施するための形態】
【００１２】  本考案は、平板状の定規本体の上面の適宜な位置に着脱自在な突起部材を貼着、又は適宜な位置に貫通穴を設けて、裏面に摩擦係数の少ないフッ素樹脂等の樹脂材を貼着している。以下、添付図面に従って一実施例を説明する。
【実施例】
【００１３】  図１及び図２は本考案の正面図と一部切欠拡大断面図である。
１は長方形の平板状のステンレス等よりなる定規（約２００ｍｍ×約４７ｍｍ）である。２は略正方形の突起部材で、底面に設けた両面テープで定規１の上面の適宜な位置に貼着している。３は定規１の平面の適宜な位置に設けた貫通穴である。４は定規１の裏面に貼着したフッ素樹脂等の樹脂材である。【００１４】  本考案は以上の構成であるから、平場に防水シートを貼り付けて壁側の立ち上がりから貼り下げた防水シートを被せて重ね合った接合幅（約５０ｍｍ）を超える余分なシートを切るために、重ね合った防水シートの間に金属製の下敷きを差し込んで、本考案の定規１の長手方向の一辺を壁側の立ち上がりコーナーに沿わして、一方の手の指を突起部材２や貫通穴３に指を引掛けて手のひらを密着させ、且つカッターナイフを定規１の長手方向の対向の一辺に沿わしながら握りしめているので、カッティング操作の際、定規がぶれる事無く正確な作業が出来る。そして定規１を移動する際は、定規１の裏面に貼着している滑り性の良いフッ素樹脂等の樹脂材４が防水シート上を抵抗なく滑らかに移動し、接合幅を残してカッティングされるが、その際カッターナイフの刃先が深く切り込んでも金属製の下敷きを差し込んでいるので、平場の防水シートを傷つける事はない。なお本考案の定規１の幅は約４７ｍｍであるので、定規１の長手方向の一辺を壁側の立ち上がりコーナーに沿わすことにより、適切な接合幅を容易に確保することができる。そして片手で定規１とカッターナイフを握りしめながらカッティング操作が出来るので、カッティング操作と並行して接合幅を超えた残材のシートを他方の手で処理することが出来て、作業効率が上がるものである。
【産業上の利用可能性】
【００１５】  本考案は、定規を製造する産業で利用される。
【符号の説明】
【００１６】  １定規
２突起部材
３貫通穴
４フッ素樹脂等の樹脂材
【図１】
0003211605.tif 000003
【図２】
0003211605.tif 000004